(57)【要約】【課題】筆記具の後端ノック部材が軸筒に関して回転することを防止する。【解決手段】筆記具のクリップ付きノック部材の回り止め構造であって、略横断面が三角形の軸筒１と、この内部に摺動可能に設けられた筆記体２と、この筆記体を作動する作動手段と、この作動手段を筆記具の後端外方から操作するノックキャップ６とから構成されてなり、このノックキャップの外壁と上記軸筒の横断面三角形の各頂点に対応する内壁角部との間に軸筒に関するノック部材の回り止め手段を設けてなる。【選択図】図１
2006021430.tif 000002
【特許請求の範囲】
【請求項１】
軸筒内に摺動可能に設けられた筆記体と、この筆記体を後方から摺動せしめる作動手段と、この作動手段を筆記具の後端外方から操作するクリップ付きノック部材とから構成されてなる筆記具において、このノック部材の筒状本体外壁と上記軸筒内壁とに軸筒に関してノック部材の回り止め手段を設けてなることを特徴とする筆記具のクリップ付きノック部材の回り止め構造。
【請求項２】
請求項１において、軸筒の少なくとも後端部の横断面が略三角形であってノック部材の回り止め手段がノック部材の外壁と上記軸筒の横断面三角形の各頂点に対応する内壁角部とに設けてなることを特徴とする筆記具のクリップ付きノック部材の回り止め構造。
【請求項３】
請求項１または２において、前記回り止め手段が、軸筒の後端内壁に軸方向に形成された係止溝と、ノック部材の外壁にこの係止溝と係合するために設けられた係止突部とからなる筆記具のクリップ付きノック部材の回り止め構造。
【請求項４】
請求項１または２において、前記回り止め手段が、軸筒の内壁に軸方向に設けられた係止突部と、この係止突部と係合するためにノック部材に設けられた係止溝とからなる筆記具のクリップ付きノック部材の回り止め構造。
【請求項５】
請求項１から請求項４のいずれかにおいて、ノック部材はクリップと一体的に形成され、このクリップはノック部材が軸筒に取り付けられたときに、軸筒の横断面三角形のいずれかの頂点に対応する位置に位置決めされてなる筆記具のクリップ付きノック部材の回り止め構造。
【請求項６】
請求項１から請求項５のいずれかにおいて、軸筒内壁に３ヶ所の係止溝とノック部材外壁に３ヶ所の係止突部とをそれぞれ設けてなる筆記具のクリップ付きノック部材の回り止め構造。
【発明の詳細な説明】
【技術分野】
【０００１】
本発明は、ボールペン、シャープペンシル等の筆記具、特に後端ノック式筆記具のクリップ付きノック部材の回り止め構造に関する。
【背景技術】
【０００２】
従来、筆記具のクリップ付きノック部材の回り止め構造は、一般的に回り止めが十分に構成されていないために、組み立て時または筆記操作中に、クリップ付きノック部材のクリップ片が軸印刷に対し定位置に組み込まれないという問題があった。さらにノック部材に回転が生じ、位置ずれが生じたクリップ片が軸印刷を覆ってしまうという問題点もあった。特に、印刷状態が重要視される名入れ商品等においては、回り止め改善は重大な課題であった。
【０００３】
【特許文献１】実開昭６１−８５４９１号公報
【発明の開示】
【発明が解決しようとする課題】
【０００４】
本発明は、かかる課題に鑑みてなされたもので、その目的は、クリップ付きノック部材が軸方向に摺動可能でありながら径方向回転不能にした、クリップ付きノック部材の軸筒に対する回り止め構造を提供するものである。
【課題を解決するための手段】
【０００５】
上記目的を達成するために本発明のうち請求項１記載の発明は、軸筒内に摺動可能に設けられた筆記体と、この筆記体を後方から摺動せしめる作動手段と、この作動手段を筆記具の後端外方から操作するクリップ付きノック部材とから構成されてなる筆記具において、このノック部材の筒状本体外壁と上記軸筒内壁とに軸筒に関してノック部材の回り止め手段を設けてなる筆記具のクリップ付きノック部材の回り止め構造と特徴とする。
請求項２の発明は、請求項１において、軸筒の少なくとも後端部の横断面が略三角形であってノック部材の回り止め手段がノック部材の外壁と上記軸筒の横断面三角形の各頂点に対応する内壁角部とに設けてなる筆記具のクリップ付きノック部材の回り止め構造を特徴とする。
請求項３の発明は、請求項１または２において、前記回り止め手段が、軸筒の後端内壁に軸方向に形成された係止溝と、ノック部材の外壁にこの係止溝と係合するために設けられた係止突部とからなる筆記具のクリップ付きノック部材の回り止め構造を特徴とする。
請求項４の発明は、請求項１または２において、前記回り止め手段が、軸筒の内壁に軸方向に設けられた係止突部と、この係止突部と係合するためにノック部材に設けられた係止溝とからなる筆記具のクリップ付きノック部材の回り止め構造を特徴とする。
請求項５の発明は、請求項１から請求項４のいずれかにおいて、ノック部材はクリップと一体的に形成され、このクリップはノック部材が軸筒に取り付けられたときに、軸筒の横断面三角形のいずれかの頂点に対応する位置に位置決めされてなる筆記具のクリップ付きノック部材の回り止め構造を特徴とする。
請求項６の発明は、請求項１から請求項５のいずれかにおいて、軸筒内壁に３ヶ所の係止溝とノック部材外壁に３ヶ所の係止突部とをそれぞれ設けてなる筆記具のクリップ付きノック部材の回り止め構造を特徴とする。
【発明の効果】
【０００６】
本発明によれば、筆記具の軸印刷に対するクリップ付きノック部材の位置決めができ、如何なる状況においても、組み込み後クリップ片が軸筒上位置ずれが生じず、確実に径方向回転を防止できる。
【発明を実施するための最良の形態】
【０００７】
横断面が三角形状で三面把持となる最適形状の軸筒とクリップ付きノック部材との筆記具の回り止め構造を有する形態である。特に、三角軸頂部の内壁に溝をそれぞれ設け、これらに対応する突部をクリップ付きノック部材外壁に設けることにより、丸軸の回り止め構造よりも確実に径方向回転が防止できる形態である。さらに、軸筒には平面印刷が施され、その平面印刷された面を正面として平面上においた際に、底面となる面とクリップ片面とが平行に組み込まれ、従来にない新しいクリップ片と軸印刷との位置関係であり、外観的にも優れた効果を有する形態である。
【実施例１】
【０００８】
以下、本発明の最良の形態について、まず図１から図６の実施例１を参照して詳細に説明する。筆記具本体をなす軸筒１は、先軸１１と後軸１２とから構成されてなり、先軸１１は先端開口を有し、かつ前方に向かって次第に縮径する先具部が一体成形されてなり、軸筒１の横断面は略三角形状、いわゆる「おむすび」形状である。従って、この筆記具は机上に置いたときにも、転がり落ちないように形成されている。そして、後軸１２の横断面三角形の各頂点または角部に対応する位置には長手方向にそれぞれ係止溝１３が形成されている。
【０００９】
軸筒１の内部軸方向には筆記体であるインキ収納用レフィール２が摺動可能に設けられている。このレフィール２の先端には先端チップ２１が固設されている。この先端チップ２１から少し後方に離間してスプリング後端を係止するための係止部２２が形成されている。そして、このスプリング係止部２２と軸筒１の先軸１１内にはリターンスプリング３が装着されて、レフィール２を常時後方に付勢している。また、レフィール２の後方にはレフィール２を軸筒１内において摺動・前進せしめるための作動機構が設けられている。この作動機構は、回転カム４と、この回転カム４に係合するノックカム５と、このノックカム５を作動せしめるノックキャップ６とから構成されている。
【００１０】
他方、ノック部材であるノックキャップ６の筒状本体６１には、上方から下方に向かって係止突条６２が形成されている。即ち、これらの係止突条６２は軸筒１の内壁に形成された係止溝１３に対応して１２０度間隔で形成されている。なお図中符号６３はノックキャップ６に一体的に設けられたクリップであり、符号６４はクリップ６３の先部裏側に形成された押圧突起であり、また符号１６は名入れ部分である。
【００１１】
次に、このような筆記具の組み付け手順について述べると、印刷が施された名入れ部分１６を有する後軸１２内に、スプリング３を取り付けたレフィール２および操作機構である回転カム４およびノックカム５を前方より落とし込む。次に、これら内部ユニットが組み付けられた後軸１２に先軸１１を圧入して組み付けて軸筒１とする。最後に、ノックキャップ６を軸筒１の後部の後軸１２に嵌合する。この場合、後軸１２の横断面三角形状の頂点に位置する部位にノックキャップ６のクリップ６１の裏側に一体的に形成された押圧突起６４を後軸１２の横断面三角形状の角部に対応する外壁に位置決めして、後方よりノックキャップ６の筒状本体６１の先部を後軸１２に挿入すると、ちょうど後軸１２の係止溝１３にノックキャップ６の係止リブ６２が位置決めされてワンタッチで組み立てられる利点がある。この場合、ノックキャップ６の内壁とノックカム５の外壁との抜け止め構造により、以後ノックキャップ６が筆記具から抜け落ちることがない。
【００１２】
以下、本発明に係るクリップ付きノック部材の回り止め構造を用いた筆記具の動作について説明する。
まず、筆記の際には、後端ノック部材であるノックキャップ６をノックすると、ノックカム５が軸筒１の内壁に形成されたカム溝１５に案内されて前進する。このノックカム５の前進に伴ってこれと係合する回転カム４が回転されてレフィール２を前進せしめて、先軸１１の先端開口から先端チップ２１を突出せしめる。なお、筆記を終了した際にはノックキャップ６をノック操作することによって先端チップ２１を軸筒１内に収納することができる。
【００１３】
なお、これらの操作中にノックキャップ６は軸筒１との間に係止溝１３と係止リブ６２とからなる回り止め手段が働いて軸筒１に関してノックキャップが回転してクリップ６３と軸筒１の側面に施された名入れ部分１６とのずれが生じることがない等の利点がある。
【００１４】
机上に置いたときにも転がり落ちないように形成されている。即ち、三角軸ということで、外壁が平面構成であることから安定して置くことができる。この場合、ノックキャップ６はそのクリップ６３が真上に位置するように予め軸筒１の横断面三角形の頂部にクリップ６３が位置するように係止溝１３と係止リブ６２を設けておけば、さらに好適である。
【実施例２】
【００１５】
さらに、図７は本発明の実施例２による筆記具のクリップ付きノック部材の回り止め構造に関するものであって、後軸１２とノックキャップ６との関係を示す横断面図である。実施例１と逆に図示のように係止突起１５を軸筒１を構成する後軸１２の内壁に設け、これに対して係止溝６５をノックキャップ６の外壁に形成する。この実施例２によっても、実施例１と同様に軸筒１に関してノック部材の位置決めと回り止めという顕著な効果が得られる。
【００１６】
なお、上記実施例における筆記具のクリップ付きノック部材の回り止め構造は、ボールペン等の他の筆記具であっても良い。
【図面の簡単な説明】
【００１７】
【図１】本発明の実施例１による回り止め構造が設けられたボールペンの斜視図である。
【図２】その縦断面図である。
【図３】後軸の縦断面図である。
【図４】図３の後軸のＡ−Ａ線に沿った拡大横断面図である
【図５】ノックキャップの拡大正面図である。
【図６】その底面図である。
【図７】本発明の実施例２による回り止め構造の後軸とノックキャップとの関係を示す横断面図である。
【符号の説明】
【００１８】
１  軸筒
１１  先軸
１２  後軸
１３  係止溝
１４  カム溝
１５  係止リブ（係止突部）
１６  名入れ部分
２  レフィール（筆記体）
２１  先端チップ
２２  係止部
３  リターンスプリング
４  回転カム
５  ノックカム
６  ノックキャップ（ノック部材）
６１  筒状本体
６２  係止リブ(係止突部)
６３  クリップ
６４  押圧突起
６５  係止溝
【図１】
2006021430.tif 000003
【図２】
2006021430.tif 000004
【図３】
2006021430.tif 000005
【図４】
2006021430.tif 000006
【図５】
2006021430.tif 000007
【図６】
2006021430.tif 000008
【図７】
2006021430.tif 000009